(57)【要約】【課題】複数の電子広告、掲示板を含むシステムにおいて、サーバを複数に分けざるを得ない場合に、どのシステムでも、携帯電話に対して、アクセスしやすいURLを提供可能とすることである。【解決手段】携帯電話115のアクセス処理用の携帯サーバ107と、広告情報、ユーザ情報などを管理するバックエンドサーバ101を分け、さらに、柔軟にシステムを拡張することができるように、携帯サーバ107とバックエンドサーバ101の間やりとりをwebサービスで行う。【選択図】図１
2005310017.tif 000002
【特許請求の範囲】
【請求項１】
前記映像コンテンツを表示する表示装置と、前記表示装置にインターネット経由で接続され前記映像コンテンツを前記表示装置へ配信するための配信サーバとを備えた表示システムにおいて、
前記配信サーバは、携帯電話サーバ経由でユーザの端末と接続され、
前記配信サーバは、前記映像コンテンツに関連するファイルを記憶する記憶装置を備え、
前記携帯電話サーバは、
前記配信サーバへアクセスするための入力画面ファイルを記憶する記憶装置と、
所定の地域内に設置された前記表示装置の集合に割り当てられた識別情報と前記表示装置の集合に接続された前記配信サーバの識別情報との対応情報を記憶する記憶装置と、
前記端末からのアクセスを受け付ける入力手段と、
前記端末からのアクセスに基づいて、前記記憶装置から前記配入力画面ファイルを検索する検索手段と、
検索された前記配入力画面ファイルを前記端末へ送信する送信手段と、
前記入力画面ファイルに対する入力情報を前記端末から受信する受信手段と、
前記記憶装置内の前記対応情報を参照して、前記入力情報に基づいて、前記映像コンテンツに関連するファイルを記憶する配信サーバの識別情報を検索する検索手段と、
特定された前記配信サーバの識別情報に基づいて前記配信サーバをアクセスするアクセス手段と、
前記映像コンテンツに関連するファイルを前記配信サーバから受信する受信手段と、
受信された前記映像コンテンツに関連するファイルを前記端末へ送信する送信手段とを備えることを特徴とする表示システム。
【請求項２】
前記映像コンテンツは、前記入力画面ファイルを取得するためのアドレスを含み、
前記携帯電話サーバの前記検索手段は、前記端末が前記映像コンテンツに含まれる前記アドレスにアクセスした場合に、前記映像コンテンツに含まれる前記アドレスに基づいて、前記記憶装置から前記入力画面ファイルを検索することを特徴とする請求項１に記載の表示システム。
【請求項３】
前記配信サーバは、前記映像コンテンツを前記表示装置へ配信する第１のサーバと、前記第１のサーバの集合を管理すると共に前記携帯電話サーバからのアクセスを受け付ける第２のサーバとを含むことを特徴とする請求項１に記載の表示システム。
【請求項４】
前記配信サーバは、
前記入力情報を前記携帯電話サーバから受信する受信手段と、
受信された前記入力情報に基づいて前記記憶装置から前記映像コンテンツに関連するファイルを検索する検索手段と、
検索された前記映像コンテンツに関連するファイルを前記携帯電話サーバへ送信する送信手段とを備えることを特徴とする請求項１に記載の表示システム。
【請求項５】
前記対応情報の前記配信サーバの識別情報は、前記配信サーバを識別するための番号と前記配信サーバをアクセスするためのアドレスの少なくとも１つを含むことを特徴とする請求項１に記載の表示システム。
【請求項６】
前記入力情報は、前記表示装置の識別情報と前記映像コンテンツに関係する店舗の識別情報の少なくとも１つを含むことを特徴とする請求項１に記載の表示システム。
【請求項７】
前記映像コンテンツを表示する表示装置と、前記表示装置にインターネット経由で接続され前記映像コンテンツを前記表示装置へ配信するための配信サーバと、ユーザの端末からのアクセスに応答して前記配信サーバ内の前記映像コンテンツに関連するファイルを前記ユーザ端末へ送信する携帯電話サーバとを備えた表示システムにおける、前記映像コンテンツに関連するファイルの配信方法において、
前記配信サーバの記憶装置が、前記映像コンテンツに関連するファイルを記憶しており、
前記携帯電話サーバの記憶装置が、前記配信サーバへアクセスするための入力画面ファイルと、所定の地域内に設置された前記表示装置の集合に割り当てられた識別情報と前記表示装置の集合に接続された前記配信サーバの識別情報との対応情報とを記憶しており、
前記携帯電話サーバの入力手段が、前記端末からのアクセスを受け付け、
前記携帯電話サーバの検索手段が、前記端末からのアクセスに基づいて、前記記憶装置から前記配入力画面ファイルを検索し、
前記携帯電話サーバの送信手段が、検索された前記配入力画面ファイルを前記端末へ送信し、
前記携帯電話サーバの受信手段が、前記入力画面ファイルに対する入力情報を前記端末から受信し、
前記携帯電話サーバの検索手段が、前記記憶装置内の前記対応情報を参照して、前記入力情報に基づいて、前記映像コンテンツに関連するファイルを記憶する配信サーバの識別情報を検索し、
前記携帯電話サーバのアクセス手段が、特定された前記配信サーバの識別情報に基づいて前記配信サーバをアクセスし、
前記携帯電話サーバの受信手段が、前記映像コンテンツに関連するファイルを前記配信サーバから受信し、
前記携帯電話サーバの送信手段が、受信された前記映像コンテンツに関連するファイルを前記端末へ送信することを特徴とする配信方法。
【発明の詳細な説明】
【技術分野】
【０００１】
本発明は、携帯電話からのアクセスにより、広告から携帯電話への情報ダウンロード、携帯電話から広告、掲示板への情報アップロードが可能な電子広告掲示板システムに関するものである。
【背景技術】
【０００２】
現在、ビルの壁面や、駅など公共のスペースに巨大なディスプレイを利用した電子広告システムが、多くみられる。また、携帯電話の普及に伴い、特許文献2にみられるように、携帯電話で広告ディスプレイに表示された電話番号、URL(Uniform Resource Location)などにアクセスすることにより、広告に関連する情報を携帯電話にダウンロードしたり、またユーザが携帯電話に入力した情報をディスプレイシステムに送信することで、ゲームに参加したりするシステムが開発されている。
【０００３】
ところで、携帯からの情報入力は、慣れていない人にとっては、非常に困難なものである。したがって、一番最初にシステムにアクセスする際に入力するURLがいかに簡単になるかで、システムをユーザが使ってくれるかどうかが大きく変わってくる。以下に図19に携帯電話の一般的なキーの配列を示す。非特許文献2では、ユーザに入力させるURLは、adjam.jpである。これを入力するためには、２００１の携帯電話上では、キーを２００２、２００３、２００５、２００２、２００６、２０１０、２００５、２００７と8回押せば入力できる。すべての文字をキーを１回押すだけで、入力できるように工夫させている。それに対し、たとえば、hitachi.co.jpなどと入力するためには、ｈを入力するために、２００４、２００４と2回のキー操作が必要になり、次にiを入力するために、２０１１、２００４、２００４、２００４と４回のキー操作が必要となる。このように２００４、２００４、２０１１、２００４，２００４，２００４、２００８、２００２、２０１１、２００２、２００２、２００２、２００４、２００４、２０１１、２００４、２００４、２００４、２０１０、２００２、２００２、２００２、２００６、２００６、２００６、２０１０、２００５、２００７と２８回のキー操作が必要となる。このように最初に入力するURLの選び方が、非常に重要になってくるわけだが、入力しやすい文字は、携帯電話のキー配列からあらかじめ決まっており、数に限りがあるので、システム提供企業が準備できる、入力しやすいURLは限りがある。
【０００４】
１社のシステム提供企業が複数の電子広告、掲示板システム運営管理する場合、サーバの負荷やデータの保守管理などを考えると、エンドユーザや広告情報などを管理するサーバは、提供システム(電子広告、掲示板設置場所)ごとに準備したいと考える。
【０００５】
【特許文献１】特開２００２−３２６５２号公報
【非特許文献１】YELLNET  「ADJAM  ｓｙｓtem」 パンフレットhttp://www.futaba.co.jp/adjam/top.htm
【発明の開示】
【発明が解決しようとする課題】
【０００６】
複数の電子広告、掲示板を含むシステムにおいて、電子広告、掲示板システムの数を増やすと、エンドユーザや広告情報などを管理するサーバが高負荷となり、サーバを複数に分けざるを得ない場合が発生する。また、データの保守性などの問題から、サーバを複数に分けざるを得ない場合もある。このような場合に、携帯電話からサーバにアクセスする現状の構成では、URL を増やさざるをえず、必ずしも、アクセスしやすいURLを各システムに対して、提供することが不可能となる。
【０００７】
本発明の目的は、ユーザの端末から配信サーバへのアクセスを容易にするシステム及び方法を提供することにある。
【課題を解決するための手段】
【０００８】
本発明は、配信サーバが、映像コンテンツに関連するファイルを記憶しており、携帯電話サーバが、配信サーバへアクセスするための入力画面ファイルと、所定の地域内に設置された表示装置の集合に割り当てられた識別情報と表示装置の集合に接続された配信サーバの識別情報との対応情報とを記憶しており、携帯電話サーバが、ユーザの端末からのアクセスに応答して入力画面ファイルを返信し、入力画面ファイルに対する入力情報を端末から受信した場合に、対応情報を参照して、入力情報に基づいて、映像コンテンツに関連するファイルを記憶する配信サーバを特定し、特定された配信サーバをアクセスし、映像コンテンツに関連するファイルを配信サーバから受信し、映像コンテンツに関連するファイルを端末へ送信する。
【発明の効果】
【０００９】
本発明によれば、ユーザの端末が携帯電話サーバを経由して配信サーバへアクセスできるため、ユーザの端末から配信サーバへのアクセスを容易にするという効果を奏する。
【発明を実施するための最良の形態】
【００１０】
複数の電子広告、掲示板を含むシステムにおいて、携帯電話に対して、アクセスしやすいURLを提供するために、携帯電話のアクセス処理用サーバと、広告情報、ユーザ情報などを管理する管理サーバとを分けた。さらに、柔軟にシステムを拡張することができるように、アクセス処理用サーバと管理サーバとの間のやりとりをｗｅｂサービスで行う。
【００１１】
図１は、本発明システムのシステム構成図である。図中、１０３は、フロントエンドと呼ばれ、駅前など多くのエンドユーザの目に止まる場所に設置された大型の表示装置１１１と、表示装置１１１を管理するフロントエンドサーバ１１０により構成される。各表示装置１１１は、それぞれ映像表示部１１２、情報処理部１１３、記録装置１１４から構成される。
【００１２】
１０２は、フロントエンド１０３の表示装置１１１に広告を掲載したり、掲示板などの管理を行う、店舗やNPOなど、発信者の団体であり、該発信者は、携帯電話１２０、PC１２１等を用いて、広告や掲示板の管理を行う。
【００１３】
１０１、１０８は、各フロントエンド１０３のコンテンツ管理やシステム制御を行うバックエンドサーバであり、インターネット網１０６を介して、フロントエンド１０３を制御する。図1では、バックエンドサーバ１０１がフロントエンド１０３の１つを制御し、バックエンドサーバ１０８が他のフロントエンド１０３の２つを制御する。
【００１４】
１１５は、エンドユーザの持つ携帯電話（携帯端末）である。携帯電話１１５は、フロントエンド１０３の表示装置１１１の画面をエンドユーザが見て、表示装置１１１に書かれたＵＲＬ（アドレス情報）にアクセスすると、各携帯電話キャリア企業が準備している携帯キャリアサーバ１０９により、インターネット網１０６に情報が載せられ、携帯サーバ１０７にアクセスする。携帯サーバ１０７は、携帯電話１１５に対するｗｅｂサーバ機能を有しており、携帯電話１１５からのＵＲＬにより、得た情報をバックエンドサーバ１０１が準備したｗｅｂサービスに変換して、バックエンドサーバ１０１に連絡する。以降、簡単のため、フロントエンド１０３をＦＥ、バックエンドをＢＥ、フロントエンドサーバ１１０をＦＳ、バックエンドサーバ１０１，１０８をＢＳ、携帯電話サーバ１０７をＰＳと表記する。携帯電話の代わりに、ＰＤＡであってよい。ｗｅｂサービスとは、WWW（World  Wide  Web）関連の技術を使い、ソフトウェアの機能をネットワークを通じて利用できるようにしたものである。
【００１５】
次に、図3以降を用いて本システムの動作について説明する。
【００１６】
システム起動時、ＢＳ１０１は、図7に示すように、まず、ＢＳ１０１自体を起動した後、ＦＳ１１０を起動する(ｓｔｅｐ1)。ＦＳ１１０から起動終了が通知されたら（ｓｔｅｐ２）、つぎにＦＳ１１０が管理すべきＦＥの番号(ＦＥ情報)を通知する（ｓｔｅｐ３）。またＢＳ１０１は、ＢＳ１０１で管理しているＦＥ１０３の番号(ＦＥ情報)をＰＳ１０７に通知する(step４)。図２０にＰＳ１０７に通知するＦＥ情報のフォーマットを示す。該ＢＳ１０１は、該ＦＥ情報により、ＦＥナンバー１を管理することをＰＳ１０７に通知する。該ＢＳ１０１は、ＦＥ１のみを管理するので、ＦＥナンバーは１つだけ割り振られているが、２つ以上のＦＥ１０３を管理するサーバでは、２つ以上のＦＥナンバーが通知される。また、各FE１０３に属する表示装置ナンバーおよびその属性も通知する。ＦＳ１１０は、ＦＳ１１０が管理すべき各表示装置１１１に関する情報をＢＳ１０１に要求し(step5)、BS１０１は各表示装置１１１のＩＰアドレスや、各表示装置１１１がどのようなデータを表示する表示装置なのか、表示装置１１１で表示するデータや、表示装置１１１で表示する広告の表示スケジュールなどを送信する（ｓｔｅｐ６）。これらの情報を受け取ったら、ＦＳ１１０は、表示装置１１１を起動し、表示内容を送信する（ｓｔｅｐ７）。表示装置１１１からＦＳ１１０が起動終了信号を受け取ると、起動終了となる(ｓｔｅｐ８)。
【００１７】
本実施例の電子広告、掲示板システムは、図３、４、５、６で示す４つの画面を表示する表示装置１１１から構成される。
【００１８】
まず、図３の画面は、近隣の店舗などの広告を表示する広告画面である。この場合、店舗は、広告主である。画面の左上には、ＦＥ各々に独自に割り振られているＦＥナンバー３０１、店舗ごとに割り振られ、店舗自体を示す店舗ナンバー３０２、店舗ナンバー３０２の横に店舗名３０３が表示されている。また右上には、アクセス先のメールアドレス３０４が表示されている。今回はメールアドレスが表示されているとしたが、ここにはアクセス先のＵＲＬが表示されても良い。さらに、本画面には、広告のタイトル３０５、詳細な広告テキスト３０６、広告画像３０７、クーポンの有無３０８、店舗のロゴ画像３０９などが表示され、一番下欄に携帯電話で本広告にアクセスする際の使用方法が簡単に表示してある（３１０）。
【００１９】
図４は、各店舗の情報などを詳細に示す詳細画面であり、店舗ナンバー３０２、店舗ロゴ３０９、店舗画像３０７、携帯電話でアクセスする際の使用方法３１０などのほかに住所４０１、電話、ＦＡＸ番号４０２、ＭＡＩＬアドレス４０３、クーポンの内容４０４、営業時間４０５、定休日情報４０６などが表示されている。
【００２０】
図５は、近隣の地図を表した地図画面であり、ＦＥナンバー３０１、アクセス先のメールアドレス３０４の下に、地図画像５０１が表示され、地図画像５０１上に店舗の位置などが店舗ナンバー３０２、店舗名３０３とともに表示されている。ユーザは、携帯電話でアクセスすることにより、各ユーザに対応したキャラクター５０２，５０３を地図上に出現させることができ、該キャラクタを用い、携帯電話をリモコンのように使って該地図上をキャラクタを移動させることができる。キャラクタが店舗上に止まると、５０４のようなウインドウが開き各店舗の情報を携帯電話上に取得したりすることができる。
【００２１】
図６は、掲示板の画面であり、ＦＥナンバー３０１、アクセス先のメールアドレス３０４の下に、各ユーザがアップロードしたメッセージ６０２、あて先６０１、画像６０３、ユーザキャラクター６０４などのデータがメッセージボード６０５の上に表示される。
【００２２】
次に、図２、図３、図５、図１１、図１２を参考に、携帯電話を持ったユーザが広告画面にアクセスし、クーポンなどの情報を取得する際の各装置の動きについて説明する。
【００２３】
まず、ユーザは、広告画面（図３）を見て、クーポンを得たいと思い、メールアドレスｄｏｋｏｄ＠ｊｐに空メール（メッセージが記述されていないメール）を送信する(図11、１１０１)。すると、携帯サーバ１０７にメールが届き、携帯サーバ１０７は、図２の画面２０１のメールを携帯電話１１５に向けて送信する(図11、１１０２)。携帯電話１１５は、画面２０１のメールを受信すると、その携帯電話がアプリケーション実行可能な場合には、リンク２０３をたどって、電子広告、掲示板システムにアクセスするアプリケーションをダウンロードする。携帯電話がアプリケーションを実行不可能な場合には、リンク２０２によりｗｅｂ画面にアクセスする(図11、１１０３)。携帯サーバ１０７は、携帯サイトのｗｅｂサーバの機能も持っており、携帯電話１１５がリンク２０２にアクセスすると、ｗｅｂ画面204を返す(図11、１１０４)。
【００２４】
ユーザは、ｗｅｂ画面204を受け取ると、図3の広告画面の左上に書かれたどこD番号（FE番号）“１”３０１および店舗番号“１２３”３０２を枠２０５，２０６に入力し、クーポン即ゲット２０７にチェックを入れGOボタン２０９を押すと、PS１０７に、どこD番号、店舗番号、クーポン即ゲットなどの情報が通知される(図１２、1201)。PS107は、どこD番号“１”を受け取ると、BS起動時に格納した図２０で示されるFE情報と照らし合わせ、BS１０１で管理していることがわかるので、BS１０１のwebサービスにアクセスする。例えば、ＰＳ１０７は、図２０のＦＥ情報を参照して、どこD番号“１”に対応するＢＥ管理ＦＥナンバーとＢＳＩＰアドレスを抽出し、抽出されたＢＳＩＰアドレスをアクセスする。図２１にBS１０１で用意しているwebサービスの一覧を示す。まず、携帯電話１１５から受け取ったどこD番号および店舗番号を引数として用い、BS１０１のwebサービス（getCoupon）にアクセスする(図12、1202)。BS１０１では、どこD番号と店舗番号をログに記録し、クーポン画像などの情報を携帯サーバ１０７に戻り値として戻す(図12、1203)。携帯サーバ１０７は、これらの情報をweb画像として携帯電話１１５に送信する(図12、1204)。携帯電話１１５では、クーポン画像210が表示され、本画像を保存することにより、情報(クーポン)を取得できる。
【００２５】
次に、携帯画面204で、「キャラクタを使う」を指定するための入力欄208を選択し、GOボタン２０９を押した場合、携帯サーバ１０７に、どこD番号、店舗番号、キャラクタを使うなどの情報が通知される(図１３、1301)。携帯サーバ107は、どこD番号“１”を受け取ると、BS起動時に格納した図２０で示されるFE情報と照らし合わせ、BS１０１で管理していることがわかるので、BS１０１のwebサービスにアクセスする。携帯電話１１５から受け取ったどこD番号および店番号を引数として用い、BS１０１のwebサービス（login）にアクセスする(図13、1302)。BS101は、どこD番号と店番号をログに記録し、セッションＩＤおよび、どこＤ番号で示されるＦＥで管理する店舗(移動先)一覧を戻り値として戻す(図13、1303)。ＰＳ１０７は、ＢＳ１０１より与えられた店舗(移動先)一覧を元に、ｗｅｂ画面２１１を生成し、携帯電話１１５に送信する(図13、1304)。ＢＳは、キャラクタ表示およびキャラクタを表示する位置(店番号)をどこＤ番号に対応するＦＳ１１０に通知し(図13、1305)、ＦＳ１１０は表示装置１１１に、キャラクタ表示およびキャラクタを表示する位置(店番号)を通知する(図13、1306)。そして、図５の５０２のように地図画面上にキャラクタが現れる。次に、携帯電話１１５を持ったユーザが、ｗｅｂ画面211上で他の店舗(たとえば036ｘｘベーカリー２１２など)を選択すると(図13、1307)、その情報が携帯サーバ107に通知され、携帯サーバ１０７は、BS１０１のwebサービス（PostPhoneKey）にアクセスする(図13、1308)。ＢＳは、キャラクタの移動先をどこＤ番号に対応するＦＳ１１０に通知し(図13、1309)、ＦＳ１１０は表示装置１１１に、キャラクタを移動する位置(店番号)を通知する(図13、1310)。そして、図５の５０３の位置に地図画面上をキャラクタが移動する。BS101は、セッションＩＤおよび、どこＤ番号で示されるＦＥで管理する店舗(移動先)一覧を戻り値として戻す(図13、1311)。ＰＳ１０７は、ＢＳ１０１より与えられた店舗(移動先)一覧を元に、ｗｅｂ画面２１１を再度生成し、携帯電話１１５に送信する(図13、1312)。次に、クーポンゲット２１３を選択すると(図13、1313)、ＰＳ１０７は、携帯電話１１５から受け取ったどこD番号および現在地図上で表示している店舗番号を引数として用い、BS１０１のwebサービス（PostPhoneKey）にアクセスする(図13、1314)。この場合、ＢＳ１０１はクーポン画像などの情報を携帯サーバ１０７に戻り値として戻す(図13、1315)。携帯サーバ１０７は、これらの情報をweb画像として携帯電話１１５に送信する(図13、1316)。携帯電話１１５では、クーポン画像214が表示され、本画像を保存することにより、情報(クーポン)を取得できる。
【００２６】
BS１０１では、クーポンのダウンロード情報をログに記録し、クーポン取得アニメを表示するようにＦＳ１１０に通知する(図13、1317)。ＦＳ１１０は、地図を表示している表示装置111にクーポン取得アニメを表示するように通知する(図13、1318)。
【００２７】
次に、携帯電話１１５を持ったユーザが、ｗｅｂ画面211上でお店をチェック２１６を選択した場合(図14、1401)、図14に示すようにPS107は、BS１０１のwebサービス（PostPhoneKey）にアクセスする(図14、1402)。ＢＳ１０１は詳細表示する店番号をログとして記録し、ＦＳ１１０に、詳細表示を行う店番号を通知する(図14、1403)。ＦＳ１１０は、地図を表示している表示装置１１１へキャラクターを削除する情報を通知し(図14、1404)、地図を表示している表示装置１１１はキャラクターを削除する。ＦＳ１１０は、詳細情報を表示する表示装置を選択し、番号を指定された店舗の詳細情報(図14、1405)、キャラクターを表示する通知(図14、1406)を表示装置111に出す。表示装置111では、店舗の詳細情報、キャラクターを表示する。PS１０７は、BS１０１のwebサービス（PostPhoneKey）の戻り値NONEを受信すると、web画面２１５（ＨＴＭＬファイル）を携帯電話１１５に送信する。
【００２８】
次に、地図画面(図5)（図２の携帯画面フローでは、２１１）において、終了を押しキャラクタ操作を終了する場合について、図15を用いて説明する。Ｗｅb画面２１１において、終了が押下されると(図１５、１５０１)、PS１０７はBS１０１のwebサービス（logout）にアクセスする(図15 、1502)。BS101では、操作終了をログに記録し、正常終了ステータスをPS１０７に通知する(図15 、1503)。PS１０７は、終了画面を携帯電話１１５に送信する(図15 、1504)。BS１０１は、FS１１０にキャラクタを削除するように通知し(図15 、1505)、FS１１０は、地図を表示している表示装置111にキャラクタを削除するように通知する(図15 、1506)。このようにして終了する。
【００２９】
図２のメール画面２０１でアプリケーションダウンロード２０３を選択した場合には、図９のweb画面901に進む。図9のシーケンスも図2のシーケンスと同様に動作し、実現できる。
【００３０】
次に電子掲示板に携帯電話１１５でアクセスする場合の装置の動作について詳細に説明する。ユーザは、掲示板画面（図６）を見て、掲示板に情報をアップロードしたいと思い、メールアドレスｄｏｋｏｄ−ｂｂｓ＠ｊｐに空メールを送信する。すると、携帯サーバ１０７にメールが届き、携帯サーバ１０７は、図８の画面８０１のメールを携帯電話１１５に向けて送信する。携帯電話１１５は、画面８０１のメールを受信すると、その携帯電話１１５がアプリケーション実行可能な場合には、リンク８０３をたどって、電子広告、掲示板システムにアクセスするアプリケーションをダウンロードする。携帯電話１１５がアプリケーション実行不可能な場合には、リンク８０２によりｗｅｂ画面にアクセスする。掲示板システムにアクセスするアプリケーションをダウンロードし起動すると、図10、1001の画面が表示される。どこD（FE）番号を入力し、GOボタンを押すと、アプリの画面は、1002に遷移する。ここで、１．画像アップロードを選択すると、アプリは携帯電話のカメラでの撮影モードとなり、撮影終了後、画面1003となる。コメントの入力を受け付け、送信ボタンを押されると、携帯電話１１５は、写真、コメントなどの情報を、どこD（FE）番号とともにPS１０７に送る（図１６、1601)。PS107は、どこD番号“１”を受け取ると、BS起動時に格納した図２０で示されるFE情報と照らし合わせ、BS１０１で管理していることがわかるので、BS１０１のwebサービスにアクセスする。PS１０７はBS１０１のwebサービス（uploadImage）にアクセスする(図16 、1602)。セッションID、コメント、画像データを引数とする。BS１０１は、アップロードする画像、コメントをデータベースに格納し、FS110にデータを送信する(図１６、１６０３) 。FS１１０では、掲示板の表示装置１１１を選択し、画像コメントなどの情報を送信する(図16、1604)。表示装置１１１では、図６、６０１に示すように、画像情報およびコメント情報を表示する。
【００３１】
次に、携帯電話１１５がアプリケーション実行可能でない場合には、メールにより画像アップロードを行う。図１７に示すように、携帯電話１１５では、通常の写真つきメールを送るのと同様の手順でメールをBBS画面に表示されたメールアドレスに送信する。すなわち、メールアドレスを入力し、タイトルを入力し、どこD番号を入力し、コメントを入力し、携帯電話１１５の中の画像フォルダの中の画像を添付してメールを送信する(図17 、1701)。PS１０７はメールを受信すると、メールの解析を行う。PS107は、どこD番号“１”を検出すると、BS起動時に格納した図２０で示されるFE情報と照らし合わせ、BS１０１で管理していることがわかるので、BS１０１のwebサービスにアクセスする。PS１０７はBS１０１のwebサービス（uploadImage）にアクセスする(図17 、1702)。その後は、アプリで行う場合と同様に実現できる。
【００３２】
最後に、携帯電話１１５を持つユーザが掲示板に表示されているデータをダウンロードする場合の装置の動作について説明する。
【００３３】
図８の８０４または、図１０の１００４の画面で、ユーザから画像番号の入力を受け付け、画像のラジオボタンを選択状態にし、ユーザによってOKを押されると、携帯電話は、PS１０７に画像ダウンロード要求および画像番号およびどこD（FE）番号を通知する(図18 、1801)。PS107は、どこD番号“１”を検出すると、BS起動時に格納した図２０で示されるFE情報と照らし合わせ、どこD番号“１”のレコードから、BS１０１で管理していることがわかるので、BS１０１のwebサービスにアクセスする。PS１０７はBS１０１のwebサービス（downloadImage）にアクセスする(図18 、1802)。BS１０１では、ダウンロード画像をデータベースから呼び出し、ユーザ操作をログに記録して画像データをPS107に送信する。PS１０７は、画像データを携帯電話１１５に送信し、携帯電話１１５では図8、８０５または図10、1005の画像が表示されて画像ダウンロード終了となる。
【００３４】
以上説明してきたように、このような構成とすることにより、1社で多くの電子広告、掲示板システムの提供を行う場合でも、携帯電話には1つのアクセス先を割り振るだけですむので、より簡単なアクセス先を割り振ることが可能をであり、また、新規の携帯キャリアーへの対応などが入った場合でも、ｗｅｂサービスというインターフェイスに対応することで、新規の携帯サーバを新規キャリア用に追加するだけで対応可能となり、非常に柔軟にシステム拡張が可能となる。また、新規の電子広告、掲示板システムを追加した場合でも、非常に柔軟にシステムの追加が可能である。
【００３５】
本発明によれば、携帯電話のアクセス処理用のサーバと広告情報、エンドユーザ情報などを管理するサーバを異なるサーバで構成し、各サーバ間のやり取りをwebサービスで行うため、携帯電話のサポート対象キャリアが増えた場合でも、また、電子広告、掲示板システムの設置場所などが増えた場合でも、拡張が非常に柔軟に行えるという利点がある。
【産業上の利用可能性】
【００３６】
ユーザが携帯電話を利用して、駅や街角に設置された表示装置に表示された広告にアクセスし、クーポンをダウンロードする場合に利用できる。
【図面の簡単な説明】
【００３７】
【図１】本発明の全体システム構成図である。
【図２】本発明の広告、地図画面アクセス時の携帯電話用ｗｅｂ画面遷移図である。
【図３】本発明の表示装置の広告画面である。
【図４】本発明の表示装置の詳細画面である。
【図５】本発明の表示装置の地図画面である。
【図６】本発明の表示装置の掲示板画面である。
【図７】本発明の電子広告、掲示板システムの起動時のソフトウエアシーケンスである。
【図８】本発明の掲示板からのコメント、画像ダウンロード時の携帯電話用ｗｅｂ画面遷移図である。
【図９】本発明の広告、地図画面アクセス時の携帯電話用アプリケーション画面遷移図である。
【図１０】本発明の掲示板からのコメント、画像ダウンロード時の携帯電話用アプリケーション画面遷移図である。
【図１１】本発明の電子広告、掲示板システムのユーザのログイン時ソフトウエアシーケンスである。
【図１２】本発明の電子広告、掲示板システムのユーザが広告掲示板システムから情報を取得する際のソフトウエアシーケンスである。
【図１３】本発明の電子広告、掲示板システムのユーザが地図上でキャラクタを操作し、広告掲示板システムから情報を取得する際のソフトウエアシーケンスである。
【図１４】本発明の電子広告、掲示板システムのユーザが地図上でキャラクタを操作し、詳細画面を表示装置上に表示する際のソフトウエアシーケンスである。
【図１５】本発明の電子広告、掲示板システムのユーザが地図上でキャラクタ操作を終了する際のソフトウエアシーケンスである。
【図１６】本発明の電子広告、掲示板システムのユーザが掲示板上に画像とコメントアップロードする際のソフトウエアシーケンスである。
【図１７】本発明の電子広告、掲示板システムのユーザが掲示板上にメールで画像とコメントアップロードする際のソフトウエアシーケンスである。
【図１８】本発明の電子広告、掲示板システムのユーザが掲示板上のデータを携帯電話にダウンロードする際のソフトウエアシーケンスである。
【図１９】本発明の一般的な携帯電話のキー配置図である。
【図２０】本発明のフロントエンド情報のフォーマットの構成図である。
【図２１】本発明のバックエンドサーバで提供可能なwebサービスの一覧を示す。
【符号の説明】
【００３８】
１０１，１０８  バックエンドサーバ    
１０２  情報発信者
１０３  フロントエンド
１０６  インターネット網
１０７  携帯サーバ
１０９   携帯キャリアサーバ
１１０  フロントエンドサーバ
１１１  表示装置
１１２  映像表示部
１１３  情報処理部
１１４  記録装置
１１５、１２０  携帯電話
１２１  パーソナルコンピュータ
【図１】
2005310017.tif 000003
【図２】
2005310017.tif 000004
【図３】
2005310017.tif 000005
【図４】
2005310017.tif 000006
【図５】
2005310017.tif 000007
【図６】
2005310017.tif 000008
【図７】
2005310017.tif 000009
【図８】
2005310017.tif 000010
【図９】
2005310017.tif 000011
【図１０】
2005310017.tif 000012
【図１１】
2005310017.tif 000013
【図１２】
2005310017.tif 000014
【図１３】
2005310017.tif 000015
【図１４】
2005310017.tif 000016
【図１５】
2005310017.tif 000017
【図１６】
2005310017.tif 000018
【図１７】
2005310017.tif 000019
【図１８】
2005310017.tif 000020
【図１９】
2005310017.tif 000021
【図２０】
2005310017.tif 000022
【図２１】
2005310017.tif 000023